(57)【特許請求の範囲】
【請求項１】
電磁弁制御ユニットとマニホールド電磁弁との間に隣接して接続され、電磁弁制御ユニットからマニホールド電磁弁における複数個の各電磁弁への信号を接続又は遮断する手動スイッチが該電磁弁制御ユニットのケース内に配設され、手動スイッチの操作レバーがケース上面に突出して配設されたシグナルカットユニットにおいて、
前記操作レバーをケース上に一列に並べて配置し、該ケース上に、該操作レバーに沿う横長のカバーを、該カバーが開く信号遮断側と該カバーが閉じる信号接続側との間において揺動可能に配設し、該カバーには、それを信号遮断側に揺動させたときに全操作レバーと離隔され、該カバーを信号接続側に揺動させたときには信号遮断側にある操作レバーを押圧して信号接続側に移動させる可動突起を設けた、
ことを特徴とするシグナルカットユニット。
【請求項２】
上記カバーの横長方向の中央部に、先端に掛止部材を配置した可撓壁を下方に伸ばして設けるとともに、ケースの上部に、カバーを信号接続側に揺動させたときに該掛止部材が掛止する受具を設け、上記可撓壁に、押圧により上記受具に対する掛止部材の掛止を離脱させる掛止解除部材を設けた、
ことを特徴とする請求項１に記載のシグナルカットユニット。
【請求項３】
横長のカバーの両端を、横長のケースの両端に設けた円筒状突出部を中心として揺動可能に支持させ、該カバーの全長にわたって上記操作レバーを押圧する板状の可動突起を設けた、
ことを特徴とする請求項１又は２に記載のシグナルカットユニット。
【発明の詳細な説明】
【０００１】
【発明の属する技術分野】
本発明は、電磁弁制御ユニットとマニホールド電磁弁との間に配置され、電磁弁制御ユニットからマニホールド電磁弁の電磁弁への信号を接続又は遮断するシグナルカットユニットに関する。
【０００２】
【従来の技術】
特許文献１には、電磁弁制御ユニットとマニホールト電磁弁との間に接続されたシグナルカットユニット（スイッチユニット）が記載されている。マニホールド電磁弁は、圧縮空気の供給配管を有する２つのエンドプレートで複数個の電磁（切換）弁を挟んで固定配置したものであり、電磁弁制御ユニットは、コントローラからの制御信号に基づき、各電磁弁を制御するユニットである。特定の電磁弁及び特定の電磁弁によって制御されるアクチュエータを点検したり調整したりするとき、特定の電磁弁への入力信号を遮断し、電磁弁の主弁を手動で切り換えられるようにしておく必要がある。特定の電磁弁への入力信号を遮断するために、シグナルカットユニットが配置されている。
【０００３】
特許文献１のシグナルカットユニットは、各入力端子と各出力端子との間に主作動スイッチが接続され、各主作動スイッチに対応してサブスイッチが配設され、各主作動スイッチと各サブスイッチとは連動するように構成されている。点検や調整の前に、特定の主作動スイッチを切り換えて、特定の電磁弁への入力信号を遮断する。点検や調整が終了した後に、特定の主作動スイッチも元の位置に切り換えて、入力信号を接続する。このとき、主作動スイッチの戻し忘れによるご動作を防止するため、すべての主作動スイッチが信号接続状態（リセット）になったとき、サブスイッチを直列に接続した検出回路が閉成して、リセットを確認できるようにされている。特許文献１のシグナルカットユニットは、リセット確認のための検出回路を設けたので、ユニット全体が複雑となり、検出回路の閉成を確認するときには確認用の機器を接続する必要がある。また、主作動スイッチとサブスイッチのレバーが上面に露出しているので、不用意な操作が行われる恐れがある。
【０００４】
特許文献２には、強制出力ユニット内に各電磁弁の制御信号を遮断する個別スイッチと一括スイッチが配設され、個別スイッチ及び一括スイッチのレバーが強制出力ユニットの上面に並べられている。そして、強制出力ユニットに透明な保護カバーが着脱可能状態に支持されている。スイッチが保護カバーで覆われることで外部に露出しなくなり、スイッチの不用意な操作を防ぐことができる。
【特許文献１】
特開平８−１５９３２７号公報
【特許文献２】
特開２００１−３５５７５５号公報
【０００５】
【発明が解決しようとする課題】
本発明は、シグナルカットユニットにおいて、各入力端子と各出力端子との間には個別の手動スイッチのみが接続され、リセットをするときには機械的操作によって全手動スイッチを同時に信号接続することを第１課題とし、全手動スイッチの信号接続を維持することを第２課題とする。
【０００６】
【課題を解決するための手段】
上記課題を解決するための本発明に係るシグナルカットユニットは、電磁弁制御ユニットとマニホールド電磁弁との間に隣接して接続され、電磁弁制御ユニットからマニホールド電磁弁における複数個の各電磁弁への信号を接続又は遮断する手動スイッチが該電磁弁制御ユニットのケース内に配設され、手動スイッチの操作レバーがケース上面に突出して配設されたシグナルカットユニットにおいて、前記操作レバーをケース上に一列に並べて配置し、該ケース上に、該操作レバーに沿う横長のカバーを、該カバーが開く信号遮断側と該カバーが閉じる信号接続側との間において揺動可能に配設し、該カバーには、それを信号遮断側に揺動させたときに全操作レバーと離隔され、該カバーを信号接続側に揺動させたときには信号遮断側にある操作レバーを押圧して信号接続側に移動させる可動突起を設けたことを特徴とするものである。
本発明に係るシグナルカットユニットにおいては、上記カバーの横長方向の中央部に、先端に掛止部材を配置した可撓壁を下方に伸ばして設けるとともに、ケースの上部に、カバーを信号接続側に揺動させたときに該掛止部材が掛止する受具を設け、上記可撓壁に、押圧により上記受具に対する掛止部材の掛止を離脱させる掛止解除部材を設けたものとし、あるいは、横長のカバーの両端を、横長のケースの両端に設けた円筒状突出部を中心として揺動可能に支持させ、該カバーの全長にわたって上記操作レバーを押圧する板状の可動突起を設けたものとすることができる。
【０００７】
【発明の実施の形態】
図１〜６は本発明のシグナルカットユニットの実施の形態を示す。図６に示すように、本発明のシグナルカットユニット10は、電磁弁制御ユニット11とマニホールド電磁弁12との間に隣接して接続されている。マニホールド電磁弁12は、マニホールドベース14上で複数個の電磁弁13がエンドプレート15によって挟持されたものである。電磁弁制御ユニット11、シグナルカットユニット10、マニホールド電磁弁12を連結して電磁弁制御装置が構成されている。図１のシグナルカットユニット10のケース20の内部に、図４(b) の回路で示す手動スイッチ（トグルスイッチ）21が配設され、手動スイッチ21は電磁弁制御ユニット11（入力側端子16）からマニホールド電磁弁12（出力側端子17）の各電磁弁13への信号を接続し又は遮断する。図１に示すようにケース20はケース蓋19によって閉じられ、手動スイッチ21の操作レバー22がケース20の上面30に突出して配置されている。
【０００８】
図２(a) ・図１に示すように、ケース20の前側に向けて制御ユニット接続コネクタ（入力側端子）16が配設され、接続コネクタ16はケース蓋19の長円形穴40を介して外部に露出されている。図２(b) に示すように、ケース20の後側に向けて電磁弁接続コネクタ（出力側端子）17が配設され、接続コネクタ17はケース20の長円形穴41を介して外部に露出されている。なお、ケース蓋19の長円形穴40の周りには嵌合用突起42が形成され、ケース20の長円形穴41は嵌合穴の機能を有している。複数個の手動スイッチ21の操作レバー22がケース20の上面30に一列に並んで配置され、横長のカバー23が操作レバー22に沿って配置され、カバー23の両端が横長のケース20の両端に揺動可能状態に配設されている。具体的には、ケース20の上部両端に支持具25Ａ，Ｂが形成され、支持具25Ａ，Ｂの外側の円筒状突出部28（図５参照）に、カバー23の側壁24Ａ，Ｂの嵌合孔26（図１参照）が嵌合されている。
【０００９】
図３(b) ・図１に示されているように、カバー23の縦断面は後壁38、上壁29、可動突起27からなる略Ｆ字形をしており、可動突起27は上壁29の中央から下側へ延びており、可動突起27・後壁38・上壁29はカバー23の全長にわたって形成されている。上壁29からケース20の上面30に伸びる複数個の区画壁39が形成され、区画壁39は各操作レバー22の間に配置され、区画壁39の後部から下部にわたって湾曲部が形成されている。区画壁39の下端はケース20の上面30に接触又は接近し、カバー23の上壁29に外力が作用するとき、区画壁39がケース20の上面30に接触して上壁30の変形を防止する。
【００１０】
図４(a) に示すように、カバー23は両側の円筒状突出部28を中心として揺動し、カバー23が信号遮断側に揺動されたとき（カバー開，図１参照）は、可動突起27と全操作レバー22とが離隔され、操作レバー22を信号接続側又は信号遮断側へ自由に切り換えることができる。これに対して、カバー23が信号接続側に揺動されたとき（カバー閉，図５参照）は、カバー23の可動突起27によって全操作レバー22が信号接続側に移動される。信号遮断時に信号遮断側に位置していた操作レバー22は、カバー23の信号接続側への揺動により、可動突起27の移動によって操作レバー22の側部が押圧され、信号接続側に切り換えられる。
【００１１】
図３(a) 及び図５に示されているように、カバー23の横長方向の中央部において、上壁29の前側から下方へ所定幅の可撓壁32が伸び、可撓壁32の先端に掛止部材31が形成されている。掛止部材31は可撓壁32の先端から前方へ突出し、前方突出部の前方下側に傾斜部36が形成されている。可撓壁32の前側には略四角形の枠状に前方へ突出した掛止解除部材33が形成され、上壁29の前方部で可撓壁32の両側に可撓性を付与するための切欠34が形成されている。ケース20の横長方向の中央部の上部前側に、上面30から所定長さ上方へ離隔した受具35が形成され、受具35の後端上方に傾斜部37が形成されている。掛止部材31と受具35とによりロック機構が構成される。なお、受具35の下側に長方形穴43が形成されている。
【００１２】
カバー23が信号接続側に揺動されるとき、すなわちカバー23が閉じられるとき、掛止部材31の傾斜部36が受具35の傾斜部37に当接し、揺動による掛止部材31の下方運動が傾斜部36・37に作用し、その反作用によって可撓壁32が後方へ撓む。掛止部材31が受具35の後側を下方へ移動し、受具35の後側を通過した後に、可撓壁32の弾性によって掛止部材31が前方に移動し、図３(a) に示す掛止位置（ロック位置）に維持される。この掛止状態を解除したいときは、掛止解除部材33を指で押圧して、掛止部材31の先端を受具35の後端よりも後方へ移動させ、その状態を保ちつつカバー23を開き、カバー23を信号遮断側へ揺動させる。このことにより掛止部材31と受具35との掛止が解除される。なお、掛止解除部材33を指で押圧して、掛止部材31の先端を受具35の後端よりも後方へ位置させながら、カバー23を閉じ、掛止してもよい。
【００１３】
電磁弁制御装置の稼働時には、図６・図５に示すようにシグナルカットユニット10のカバー23は閉じられ、全操作レバー22は信号接続側に傾斜している。電磁弁13にはアクチュエータが接続されており、アクチュエータの連動により自動生産ラインが稼働する。メンテナンス時には、各電磁弁13、各アクチュエータ、各連動部分を点検し、それらの動きを確認し、調整する必要がある。そのため、シグナルカットユニット10のカバー23を開いて操作スイッチ22を信号遮断側に切り換え、電磁弁13の上部の電磁弁手動操作ボタン44Ａ、 44 Ｂにより電磁弁13の主弁（スプール）を手動で切り換え、点検、確認、調整を行う。
【００１４】
シグナルカットユニット10のカバー23を開いたとき、目的の電磁弁の操作スイッチ22のみを信号遮断側に切り換えることができるので、目的の電磁弁への信号のみを遮断して、点検、確認、調整を行うことが可能である。ラインの稼働中に特定の電磁弁やアクチュエータを交換したり調整することが必要となった場合、ライン全体を止める必要はなく、暫定的に特定の電磁弁への信号を遮断して、部品の交換や調整等のメンテナンスを行うことができる。
【００１５】
メンテナンス終了後の稼働の際には、カバー23を閉じることにより全操作レバー22が信号接続側に切り換えられ、すべての手動スイッチ21が信号接続状態（リセット）になる。カバー23が閉じられ手動スイッチ21がリセット位置にあるか否かは目視により確認できるので、手動スイッチ戻し忘れによる誤動作が防止される。また、掛止部材31と受具35からなるロック機構により、装置運転中の振動やシグナルカットユニット10への外力等によりカバー23の誤開放されることが防止される。
【００１６】
【発明の効果】
以上に詳述した本発明に係るシグナルカットユニットによれば、電磁弁制御ユニットからマニホールド電磁弁の各電磁弁への信号を接続又は遮断する手動スイッチをケース内に配設しているので、カバーを信号接続側に揺動させて該カバーを閉じたときは、可動突起によって全操作レバーが信号接続側に傾斜する。これにより、各入力端子と各出力端子との間の手動スイッチが全て接続され、リセットをするときには上記カバーを閉じるという機械的操作によって全手動スイッチを同時に信号接続することができる。
また、上記カバーの中央部に、先端に掛止部材を配置した可撓壁を設けるとともに、ケースの上部に該掛止部材が掛止する受具を設け、上記可撓壁に、押圧により上記受具に対する掛止部材の掛止を離脱させる掛止解除部材を設けると、上記カバーを信号接続側に揺動したときには、掛止部材が受具に掛止されて全手動スイッチの信号接続が維持される掛止位置に保持され、一方、上記掛止解除部材を押圧したときには、掛止部材と受具との掛止を解除して、上記カバーを信号遮断側に開くことができる。
【図面の簡単な説明】
【図１】本発明のシグナルカットユニットの実施の形態のカバー開のときの前側の斜視図である。
【図２】図２(a) は本発明のシグナルカットユニットのカバー閉のときの正面図であり、図２(b) はカバー閉のときの背面図である。
【図３】図３(a) は図２(a) のＸ−Ｘ線視の断面図であり、図３(b) は図２(a) のＹ−Ｙ線視の断面図である。
【図４】図４(a) は本発明のシグナルカットユニットのカバー開のときの平面図であり、図４(b) は配線図である。
【図５】本発明のシグナルカットユニットのカバー閉のときの斜視図である。
【図６】本発明のシグナルカットユニットを含む電磁弁制御装置の斜視図である。
【符号の説明】
20  ケース
21  手動スイッチ
22  操作レバー
23  カバー
27  可動突起
【図１】
0004310533.tif 000002
【図２】
0004310533.tif 000003
【図３】
0004310533.tif 000004
【図４】
0004310533.tif 000005
【図５】
0004310533.tif 000006
【図６】
0004310533.tif 000007